(57)【要約】【課題】一般的な１２０サイズフィルムまたは２２０サイズフィルム用のカメラを使用して、画面サイズを変更して撮影することができる写真用ロールフィルムを提供する。【解決手段】巻き付け方向に長尺な銀塩フィルム４、２４と、銀塩フィルム４、２４の少なくとも前部および後部に設けられた遮光紙５、２５と、これらが巻き付けられるスプール２とを備え、１２０サイズフィルムまたは２２０サイズフィルム用のカメラに装填されて使用される写真用ロールフィルム１、２１であって、銀塩フィルム４、２４の幅寸法Ｔが、１２０サイズフィルムまたは２２０サイズフィルムで使用されるフィルム幅よりも小さく形成されている。【選択図】図１
2014098854.tif 000002
【特許請求の範囲】
【請求項１】
巻き付け方向に長尺な銀塩フィルムと、前記銀塩フィルムの全長或いは少なくとも前部および後部に設けられた遮光紙と、前記遮光紙が設けられた前記銀塩フィルムが巻き付けられるスプールとを備え、１２０サイズフィルムまたは２２０サイズフィルム用のカメラに装填されて使用される写真用ロールフィルムであって、
前記銀塩フィルムの幅寸法が、１２０サイズフィルムまたは２２０サイズフィルムで使用されるフィルム幅よりも小さく形成されていることを特徴とする写真用ロールフィルム。
【請求項２】
前記銀塩フィルムは、市販されている１２０サイズフィルムまたは２２０サイズフィルムの銀塩フィルムを巻き付け方向に沿って切断してフィルム幅を小さくしたものであることを特徴とする請求項１に記載の写真用ロールフィルム。
【請求項３】
前記銀塩フィルムは、市販されている３５ミリフィルムをそのまま使用したもの、或いは、前記３５ミリフィルムを巻き付け方向に沿って切断し、フィルム幅を小さくしたものであることを特徴とする請求項１に記載の写真用ロールフィルム。
【請求項４】
遮光紙の幅方向における中心位置と、１２０サイズフィルムまたは２２０サイズフィルムの銀塩フィルムよりもフィルム幅の小さい銀塩フィルムの幅方向の中心位置を一致させた状態で、前記遮光紙と前記銀塩フィルムとをスプールに巻き取るフィルム巻き取り装置であって、
前記スプールを回転可能に支持する支持部材と、
前記スプールの回転軸に沿って平行に移動可能であり、フィルム幅の小さな銀塩フィルムの幅方向の位置を規制する幅規制部と、
を備えたことを特徴とするフィルム巻き取り装置。
【請求項５】
遮光紙の幅方向における中心位置に、１２０サイズフィルムまたは２２０サイズフィルムの銀塩フィルムよりもフィルム幅の小さい銀塩フィルムの中心位置を一致させる銀塩フィルム配置用治具であって、
透明な板部材を２つ折りにして形成された表面部および裏面部を備え、前記表面部および裏面部には、前記表面部と裏面部とを完全に重ね合わせた状態で、前記表面部および裏面部に描かれたそれぞれの中心線が一致するように形成されていることを特徴とする銀塩フィルム配置用治具。
【発明の詳細な説明】
【技術分野】
【０００１】
本発明は、１２０サイズフィルムおよび２２０サイズフィルムのカメラで使用可能な写真用ロールフィルムに関する。
【背景技術】
【０００２】
１２０サイズフィルムおよび２２０サイズフィルム（一般的に、ブローニー（登録商標）フィルムともいう）は、遮光紙の上に６１．５ｍｍ幅（約６ｃｍ幅）の銀塩フィルムが幅方向の中心を合わせて配置され、この銀塩フィルムが遮光紙で包むようにスプールに巻き付けられたものである。このように巻き付けられた状態では、銀塩フィルムが外光によって露光しないようになっている。
【０００３】
この１２０サイズフィルムには、長尺な銀塩フィルムの全長よりも長い遮光紙が用いられており、この遮光紙によって銀塩フィルムがその全長に亘って覆われている。一方、２２０サイズフィルムには、１２０サイズフィルムよりも約２倍の長さの銀塩フィルムが使用されている。また、２２０サイズフィルムでは、銀塩フィルムの長さ方向における前部および後部にしか遮光紙が設けられておらず、その中央部分には設けられていない。そのため、遮光紙が中央にない分だけスプールに巻き付けたときの直径が小さくなり、１２０サイズフィルムと２２０サイズフィルムでほぼ同じ巻き付け外径になるようにしている（例えば、特許文献１、２参照）。
【０００４】
また、１２０サイズフィルムまたは２２０サイズフィルムが使用されるカメラ（一般的に、中判カメラ、ブローニー（登録商標）カメラともいう）は、種類によって撮影可能な画面サイズが固定されている。より詳細には、画面サイズとして、６ｃｍ幅を基準にして、６×４．５、６×６、６×７、６×８、６×９センチの種類があり、例えば、６×４．５センチ、６×８センチの画面サイズは、一般的な雑誌の縦横比と一致する。このように、固定された画面サイズのカメラが用途等に合わせて選択されて使用される。
【先行技術文献】
【特許文献】
【０００５】
【特許文献１】特開２００４−２４５９６８号公報
【特許文献２】特開平１１−９５３７７号公報
【発明の概要】
【発明が解決しようとする課題】
【０００６】
しかしながら、従来の１２０サイズフィルムまたは２２０サイズフィルム用のカメラと１２０サイズフィルムまたは２２０サイズフィルムの組合せでは、基本的には、上述した画面サイズ以外の写真を撮影することができない。例外として、２段の画面サイズ（６×６と、６×７）を切り替えて使用可能なカメラも一部にはあるが、このカメラは上述した画面サイズの中からいずれかのサイズを選択して切り替えることができるだけであって、その他の縦横比の画面サイズで撮影できるものではない。
【０００７】
また、従来では上述した画面サイズ以外で撮影をすることができないため、撮影をするカメラマンが上述した画面サイズ以外の縦横比を明確に意識して被写体を撮影することはなかった。結果物の写真として従来でも上記画面サイズ以外の縦横比の写真というものはあるが、これらは撮影後の写真の上端（或いは、下端、左右端）をトリミングして縦横比を任意に変更したものである。これは撮影後に現像する段階で現像者（或いは、撮影者）が特殊な写真を得ようとしてトリミングをするものであり、撮影者であるカメラマンが被写体の輪郭を目視で認識して、上述した画面サイズ以外の縦横比を意識しながら撮影したものではない。
【０００８】
本発明は、上述した事情を鑑みてなされたものであり、その目的は、一般的な１２０サイズフィルムまたは２２０サイズフィルム用のカメラを使用して、画面サイズを変更して撮影することができる写真用ロールフィルムを提供するためのものである。
【課題を解決するための手段】
【０００９】
上述課題を解決するため、本発明は、巻き付け方向に長尺な銀塩フィルムと、前記銀塩フィルムの全長或いは少なくとも前部および後部に設けられた遮光紙と、前記遮光紙が設けられた前記銀塩フィルムが巻き付けられるスプールとを備え、１２０サイズフィルムまたは２２０サイズフィルム用のカメラに装填されて使用される写真用ロールフィルムであって、前記銀塩フィルムの幅寸法が、１２０サイズフィルムまたは２２０サイズフィルムで使用されるフィルム幅よりも小さく形成されていることを特徴とする。
【００１０】
また、前記銀塩フィルムは、市販されている１２０サイズフィルムまたは２２０サイズフィルムの銀塩フィルムを巻き付け方向に沿って切断してフィルム幅を小さくしたものを使用することができる。
【００１１】
さらに、前記銀塩フィルムは、市販されている３５ミリフィルムをそのまま使用したもの、或いは、前記３５ミリフィルムを巻き付け方向に沿って切断し、フィルム幅を小さくしたものを使用することができる。
【００１２】
また、本発明は、遮光紙の幅方向における中心位置と、１２０サイズフィルムまたは２２０サイズフィルムの銀塩フィルムよりもフィルム幅の小さい銀塩フィルムの幅方向の中心位置を一致させた状態で、前記遮光紙と前記銀塩フィルムとをスプールに巻き取るフィルム巻き取り装置であって、前記スプールを回転可能に支持するアームと、前記スプールの回転軸に沿って平行に移動可能であり、フィルム幅の小さな銀塩フィルムの幅方向の位置を規制する幅規制部と、を備えたことを特徴とする。
【００１３】
さらに、本発明は、遮光紙の幅方向における中心位置に、１２０サイズフィルムまたは２２０サイズフィルムの銀塩フィルムよりもフィルム幅の小さい銀塩フィルムの中心位置を一致させる銀塩フィルム配置用治具であって、透明な板部材を２つ折りにして形成された表面部および裏面部を備え、前記表面部および裏面部には、前記表面部と裏面部とを完全に重ね合わせた状態で、前記表面部および裏面部に描かれたそれぞれの中心線が一致するように形成したことを特徴とする。
【発明の効果】
【００１４】
本発明に係る写真用ロールフィルムでは、銀塩フィルムの幅寸法が、１２０サイズフィルムまたは２２０サイズフィルムで使用されるフィルム幅よりも小さく形成されているので、中判カメラで撮影可能な画面サイズと異なるサイズの写真を撮影することができる。また、このような異なる画面サイズの写真を、中判カメラの特有の機能（例えば、アオリ機構など）を用いて撮影することができる。
【００１５】
また、撮影者であるカメラマンは、フィルム幅の小さい銀塩フィルムを使用することで、撮影時に被写体の縦横比を明確に意識して撮影することができるようになる。プロのカメラマンが写真撮影する際に、指で四角を作って被写体の輪郭をイメージする動作をよく見かけるが、カメラマンが撮影するときの感覚として写真の輪郭を意識することは非常に重要なことである。本発明の写真用ロールフィルムでは、カメラマンがこの縦横比を明確に意識しながら被写体を撮影することができる。
【００１６】
また、本発明に係るフィルム巻き取り装置では、前記スプールを回転可能に支持する支持部材（アーム）と、前記スプールの回転軸に沿って平行に移動可能であり、フィルム幅の小さな銀塩フィルムの幅方向の位置を規制する幅規制部とを備えているので、幅規制部の幅方向の位置を調整して、銀塩フィルムのフィルム幅Ｔの中心位置を遮光紙の幅方向における中心位置とを一致させることで、これらの中心位置を一致させた状態でスプールに巻き取ることができる。これにより、視界の悪い暗室内でフィルム巻き取り作業を容易に行えるようになる。
【００１７】
さらに、本発明に係る銀塩フィルム配置用治具では、透明な板部材を２つ折りにして形成された表面部および裏面部を備え、前記表面部および裏面部には、前記表面部と裏面部とを完全に重ね合わせた状態で、前記表面部および裏面部に描かれたそれぞれの中心線が一致するように形成しているので、裏面部の中心線を遮光紙の裏面に描かれた中心線と一致するように配置し、表面部と裏面部とで遮光紙を挟み込むようにして完全に重ね合わせることで、遮光紙の黒色の表面に銀塩フィルム配置用治具の表面部に描かれた中心線を表示することができる。これにより、この中心線に銀塩フィルムの幅方向における中心位置を合わせるようにすることで、遮光紙と銀塩フィルムの中心位置を合わせる作業を、視界の悪い暗室内で容易に行えるようになる。
【図面の簡単な説明】
【００１８】
【図１】本発明の実施の形態に係る１２０サイズフィルムの写真用ロールフィルムの斜視図であって、ロールフィルム本体の一部をスプールに巻き付けた状態である。
【図２】図１の遮光紙を単体で示す展開図であって、遮光紙を裏側から見たものである。
【図３】本発明の実施の形態に係る２２０サイズフィルムの写真用ロールフィルムの斜視図であって、ロールフィルム本体の一部をスプールに巻き付けた状態である。
【図４】図３の遮光紙を単体で示す展開図であって、（Ａ）は２分割された遮光紙の表面側、（Ｂ）は２分割された遮光紙の裏面側を示すものである。
【図５】銀塩フィルム配置用治具の概要図である。
【図６】（Ａ）は中判カメラのフィルム面と対向する開口部分に取り付けられる開口部用治具の正面図、（Ｂ）は、撮像範囲を確認するための撮像範囲確認用治具の正面図である。
【図７】フィルム巻き取り装置の全体を示す斜視図である。
【発明を実施するための最良の形態】
【００１９】
以下、本発明の実施の形態に係る写真用ロールフィルム１、２１（図１および図３参照）、銀塩フィルム配置用治具４０（図５参照）、開口部用治具６１および撮像範囲確認用治具６２（図６参照）、フィルム巻き取り装置９０（図７参照）について、図面を用いて詳細に説明する。なお、以下の説明で使用する「幅方向」「巻き付け方向」の方向は、図１〜図７に示す方向をいい、「表側（内側）」「裏側（外側）」の表現は、図１および図３の上側から見たときのものとする。
【００２０】
写真用ロールフィルム１、２１は、１２０サイズフィルムまたは２２０サイズフィルム用のカメラ（以下、中判カメラという）に使用可能なものである。
この中判カメラは、３５ｍｍフィルム（一般的に普及して使用されている銀塩フィルム）用のカメラと比較して、フィルム面積を大きく使うことができる（３５ｍｍフィルム用のカメラの画面サイズは２．４×３．６センチ（２：３）に対し、中判カメラの画面サイズは６×４．５、６×６、６×７、６×８、６×９センチ）。そのため、同じ写真サイズで現像する場合、中判カメラの方が豊富な階調で高画像の写真を撮影することができる。
【００２１】
また、中判カメラは、被写界深度を広範囲に調整できるので、例えば、ポートレートや植物などの写真撮影時に被写界深度を浅くして、被写体にピントを合わせて前景や背景をぼかすなどの技巧を使うこともできる。
さらに、一部の中判カメラには、大判の４×５インチカメラのようなアオリ機構（撮影レンズの光軸を、画面（フィルム面）の中心へ垂直に交叉させるという基本パターンを故意に変えることによって結像効果を変化させ、基本パターンでは撮ることのできない表現効果を生み出すことができる機構）を有するものもある。
【００２２】
また、中判カメラで一度撮影した後に、遮光紙上に配置された銀塩フィルムの表裏を反転させて配置して再度撮影することで、別の被写体を一つの写真で二重に撮影するという技巧も可能である。このような技巧は、ブラック＆ホワイト（黒白フィルム）、ネガカラー、スライド用のポジフィルムで応用可能である。これによれば、色合いの異なる二つの被写体が一枚の写真に撮影された独特の写真を得ることができる。
このように、中判カメラは、豊富な機能及び技巧を駆使できることから、プロカメラマンやマニアの写真家の間で根強い人気を博している。
【００２３】
（１）１２０サイズフィルムの写真用ロールフィルム１
図１は、１２０サイズフィルムの写真用ロールフィルム１の斜視図、図２は、写真用ロールフィルム１で使用される遮光紙５を単体で示す展開図であって、遮光紙５を裏側から見た図である。
【００２４】
１２０サイズフィルムに対応する写真用ロールフィルム１は、図１に示すように、中判カメラに着脱可能に取り付けられるスプール２と、このスプール２の外周に巻き付けられるロールフィルム本体３とで構成されている。
【００２５】
スプール２は、円柱状の外周面にロールフィルム本体３が巻き付けられるようになっており、その上下の両端に、巻き付けられたロールフィルム本体３の幅方向の両端部を覆うつば部２Ａが形成されている。このつば部２Ａは、巻き付けられたロールフィルム本体３が巻き付け方向にまっすぐに巻き付けられるように、ロールフィルム本体３の巻き付け位置を規制している。また、つば部２Ａは、ロールフィルム本体３がスプール２に巻き付けられた状態で、銀塩フィルム４が幅方向の端部から露光しないようにしている。このスプール２の形状および構造は、現在使用されている種々の中判カメラの間で互換性を有している。
【００２６】
１２０サイズフィルムに対応するロールフィルム本体３は、図１に示すように、巻き付け方向に長手方向を有する銀塩フィルム４と、この銀塩フィルム４の裏側の全面を覆う遮光紙５とで構成されている。この銀塩フィルム４は、撮像面である表面４Ａを内側に向け、銀塩フィルム４の裏面４Ｂと遮光紙５の表面５Ａとが接する態様で配置されている。
【００２７】
遮光紙５は、図２に示すように、銀塩フィルム４と同様に巻き付け方向に長尺に形成されており、その先端部５Ａ１と後端部５Ｂ１とが幅狭に形成されている。この後端部５Ｂ１は、スプール２に形成されたスリット２Ｂ（図７参照）に挿入され、このスプール２を回転させることで、ロールフィルム本体３がスプール２に巻き付けられるようになる。
【００２８】
遮光紙５の表面５Ａは、その全面が黒色に配色されており、この表面５Ａ側に銀塩フィルム４の裏面４Ｂが接するように取り付けられる。また、遮光紙５の表面５Ａには、図１に示すように、銀塩フィルム４の長手方向の先端部４Ａ１が位置決めされて接着テープ１０で接着されている。
【００２９】
また、遮光紙５の裏面５Ｂには、図２に示すように、種々の文字が記入されている。これらの文字は、中判カメラにロールフィルム本体３がセットされた状態で、中判カメラに設けられたのぞき窓から確認することができるようになっている。例えば、この写真用ロールフィルム１が１２０サイズであることを示すサイズ用文字６や、フィルムを送ったときの撮像枚数などが記入されている。
【００３０】
また、遮光紙５の裏面５Ｂには、銀塩フィルム４の先端部４Ａ１の位置を示す接着位置７と、銀塩フィルム４，２４の始まりの位置を示すＳＴＡＲＴライン８と、ロールフィルム本体３の巻き付け方向における中心を示す中心線９とが表示されている。接着位置７は、上述した銀塩フィルム４を遮光紙５の上に配置するときに、銀塩フィルム４の先端部４Ａ１をこの位置に合わせるためのものである。また、ＳＴＡＲＴライン８は、撮影者が写真用ロールフィルム１をカメラにセットする際に、このＳＴＡＲＴライン８をカメラのスタート位置に合わせてセットする。また、中心線９は、詳細は後述するが、銀塩フィルム４の幅方向の中心位置を遮光紙５の幅方向の中心位置と合わせるために重要になる。これらの文字や線は、詳細は後述する特殊表示文字で描かれており、暗室内でも十分に視認できるようになっている。
【００３１】
この銀塩フィルム４は、図１に示すように、従来の１２０サイズフィルムで使用される銀塩フィルムのフィルム幅（６１．５ｍｍ幅）よりも小さく形成されている。このフィルム幅Ｔは、市販されている１２０サイズフィルムで使用されている銀塩フィルムのフィルム幅を、巻き付け方向に沿って平行に切断して小さくしたものである。例えば、フィルム幅Ｔを半分に切断（約３０ｍｍ幅に切断）し、この写真用ロールフィルム１を画面サイズが６×６ｃｍの中判カメラで使用すると、３×６ｃｍという画面サイズ（いわゆる、パノラマサイズ、横長（縦長）サイズ）で写真を撮像することができるようになる。また、６×７ｃｍの中判カメラで使用すると、３×７ｃｍというさらに横長（縦長）サイズの写真撮影が可能になる。
このように、フィルム幅Ｔを任意の幅寸法で切断して使用することで、今までにない種々の画面サイズで撮像することが可能になる。
【００３２】
また、銀塩フィルム４は、１２０サイズフィルムで使用される銀塩フィルム以外のフィルムであって、例えば、フィルムメーカーが製造・販売する他のフィルムを使用するものであってもよい。例えば、一般的に入手可能な３５ｍｍフィルム（２．４×３．６センチ）を使用することもできる。例えば６×６の中判カメラを使用して、この３５ｍｍフィルムを用いたフィルム本体３を作成すれば、２．４×６ｃｍの画面サイズの写真を撮像することができる。
【００３３】
また、３５ｍｍフィルムの幅方向の両端には、フィルムを巻き付け方向に送るためのパーフォレーション（複数の角形の穴）が形成されているが、このパーフォレーションの部分にも撮像することができる。そのため、中判カメラを用いて撮像した写真では、パーフォレーションの部分が残るように現像することで、写真の上下（または左右）にパーフォレーションが写った一風変わった写真を現像することもできる。
【００３４】
さらには、銀塩フィルム４として、３５ｍｍフィルムを巻き付け方向に沿って切断したものを使用することもできる。この場合には、任意な画面サイズが可能になると共に、上側または下側のいずれかにパーフォレーションの部分を残した写真を撮像することもできる。
【００３５】
（２）２２０サイズフィルムの写真用ロールフィルム２１
図３は２２０サイズフィルムの写真用ロールフィルム２１の斜視図、図４は、写真用ロールフィルム２１で使用される遮光紙２５を単体で示す展開図であって、（Ａ）は遮光紙２５を表面２５Ａから見た図、（Ｂ）は遮光紙２５を裏面２５Ｂから見た図である。
【００３６】
２２０サイズフィルムに対応する写真用ロールフィルム２１は、図３に示すように、スプール２と、ロールフィルム本体２３とで構成されている。スプール２は、上述した１２０サイズフィルムの写真用ロールフィルム１で使用されるものと同じであり、それぞれに互換性を有している。
【００３７】
２２０サイズフィルムの写真用ロールフィルム２１は、図３に示すように、巻き付け方向に長手方向を有する銀塩フィルム２４を備えている。この銀塩フィルム２４は、１２０サイズの銀塩フィルム４よりも約２倍の長さを有しており、２倍の撮影枚数を確保できるものである。また、遮光紙２５は、図３に示すように、１２０タイプと異なり、銀塩フィルム２４の全長を覆うようには構成されておらず、銀塩フィルム２４の長手方向の先端部と後端部にそれぞれ２分割で構成されている（図４（Ａ）、図４（Ｂ）参照）。この構造は、写真用ロールフィルム２１を中判カメラに最初にセットするとき、および、写真用ロールフィルム２１を中判カメラから撮像後に取り出すときに、両端の遮光紙２５によって露光しないようにするためである。なお、中央部は、撮像時にはカメラ内部で巻き取られるため、撮影以外で外光によって露光することはない。
【００３８】
２２０サイズの銀塩フィルム２４は、１２０タイプの銀塩フィルム４と同様に、撮像面である表面２４Ａを内側に向け、銀塩フィルム２４の裏面２４Ｂと遮光紙２５の表面２５Ａとが接する態様で配置されている。また、銀塩フィルム２４は、撮像面である表面２４Ａを内側に向けて配置されている。この銀塩フィルム２４は、詳細は後述するが、遮光紙２５の表面２５Ａに位置決めされ、接着テープ１０によって遮光紙２５の表面５Ａに固定されている。
【００３９】
遮光紙２５の裏面２５Ｂには、図４（Ｂ）に示すように、上述した１２０タイプの遮光紙５と同様に、フィルムが２２０サイズであることを示す文字や撮像枚数、接着位置７、ＳＴＡＲＴライン８、中心線９などが描かれている。また、裏面２５Ｂには、遮光紙２５の角部２７（詳細は後述する。図３参照）をフィルム幅Ｔに合わせて斜めにカットするためのカット線２９が描かれている。
【００４０】
また、遮光紙２５の表面２５Ａは、図４（Ａ）に示すように、その全面が黒色に配色されているが、１２０タイプの遮光紙５と異なる点は、この黒色の面の一部に、白色でフィルム幅表示線２８Ａ、２８Ｂ、２８Ｃ、２８Ｄが描かれている。これらのフィルム幅表示線２８Ａ、２８Ｂ、２８Ｃ、２８Ｄは、遮光紙２５の裏面２５Ｂに描かれた中心線９を中心にして、幅方向に対称に描かれている。また。フィルム幅表示線２８Ａ、２８Ｂ、２８Ｃ、２８Ｄは、銀塩フィルム２４が配置されない位置に描かれているので、撮影時にこれらのフィルム幅表示線２８Ａ、２８Ｂ、２８Ｃ、２８Ｄの白線部分で光が反射しないようになっている。
【００４１】
これらのフィルム幅表示線２８Ａ、２８Ｂ、２８Ｃ、２８Ｄは、ロールフィルム本体２３を巻き付けるときの中心位置の目安として使用される。より具体的には、２２０サイズの遮光紙２５は、前端部と後端部とで分離しているので、銀塩フィルム２４を遮光紙２５の中心位置に合わせて巻き取り難い。そのため、これらのフィルム幅表示線２８Ａ、２８Ｂ、２８Ｃ、２８Ｄを目安にして巻き付け作業を行いながら銀塩フィルム２４の中心位置を適宜修正することができるようにしている。
【００４２】
この銀塩フィルム２４は、１２０タイプの銀塩フィルム４と同様に、従来の２２０サイズフィルムで使用される銀塩フィルムのフィルム幅（６１．５ｍｍ幅）よりも小さく形成されており、中判カメラで撮影することで、今までにない種々の画面サイズ（幅の広い横長（縦長）サイズなど）で撮像することが可能になる。
また、１２０サイズで説明したのと同様に、３５ｍｍフィルムを使用して今までにない画面サイズの写真を撮影したり、パーフォレーションを利用したユニークな写真を撮影したりすることができる。
【００４３】
（３）銀塩フィルム配置用治具
中判カメラを使用する場合、ファインダーから見える被写体の中心位置と実際に撮影される被写体のフィルム上での中心位置とを一致させるために、銀塩フィルムの幅方向における中心位置を、遮光紙の幅方向における中心位置と一致するようにセットしてある。そのため、本発明のように、市販の１２０サイズフィルム或いは２２０サイズフィルムのフィルム幅よりも小さいフィルム幅Ｔの銀塩フィルム４、２４を遮光紙５、２５にセットする場合であっても、銀塩フィルム４、２４の幅方向における中心位置を、遮光紙５、２５の幅方向における中心位置に一致させて配置する必要がある。しかしながら、銀塩フィルム４、２４のフィルム幅Ｔが任意な小さな寸法である場合、これらの中心位置を合わせてセットすることが難しい。そのために、この銀塩フィルム配置用治具４０が必要とされる。
【００４４】
図５は、銀塩フィルム配置用治具４０の概要図である。
銀塩フィルム配置用治具４０は、透明な樹脂製の薄板（例えば、薄いアクリル板、ＰＥＴ材で形成した板状フィルムなど）を２つ折りにして形成したものであり、表面側に位置する第１表面部４１、第２表面部４２（これらを総称して、表面部という）と、折り曲げ部４０Ａで裏側に折り返されて形成される第１裏面部４３および第２裏面部４４（これらを総称して、裏面部という）とで構成されている。この銀塩フィルム配置用治具４０は、折り曲げた内側に遮光紙５、２５を挟む態様で使用される。また、銀塩フィルム配置用治具４０は、１２０サイズおよび２２０サイズの両方で使用できるように工夫されている。
【００４５】
第１表面部４１と第２表面部４２は、図５に示すように、切断部５１で幅方向に切断されており、折り曲げ部４０Ａを中心にそれぞれ独立して開閉可能に形成されている。また、第１裏面部４３と第２裏面部４４も同様に、切断部５２で幅方向に切断されており、折り曲げ部４０Ａを中心にそれぞれ独立して開閉可能に形成されている。
【００４６】
これらの表面部４１、４２および裏面部４３、４４のそれぞれには、折り曲げ部４０Ａの稜線と平行に中心線５３が描かれている。この中心線５３は、表面部５１、５２と、裏面部５３、５４とを完全に折り畳んで重ねたときに、全ての面部（表面部４１、４２および裏面部４３、４４）の中心線５３が直線上になるようになっている。
【００４７】
また、第２表面部４２と第１裏面部４３には、この中心線５３を挟んで幅方向に対称に描かれたフィルム幅表示線５４Ａ、５４Ｂ、５４Ｃ、５４Ｄが描かれている。これらの表示線５４Ａ、５４Ｂ、５４Ｃ、５４Ｄは、フィルム幅Ｔを小さくした銀塩フィルム４、２４を中心線５３に合わせて配置する目安として使用される。
【００４８】
さらに、第１表面部４１と第１裏面部４３には、２２０サイズのときに銀塩フィルム２４の接着位置を示す接着テープ貼付枠５５Ａが描かれている。同様に、第２表面部４２と第２裏面部４４には、１２０サイズのときに銀塩フィルム４の接着位置を示す接着テープ貼付枠５５Ｂが描かれている。これらの接着テープ貼付枠５５Ａ、５５Ｂは、それぞれの第１表面部４１と第１裏面部４３、第２表面部４２と第２裏面部４４とを完全に折り畳んで重ねたときに、それぞれが重なる（一致する）ようになっている。
【００４９】
また、第１表面部４１と第１裏面部４３には、２２０サイズ用の接着テープ貼付枠５５Ａの幅方向の両側下部に、遮光紙２５の先端部をカットする目安を表示するカット線５６が描かれている。
【００５０】
次に、銀塩フィルム配置用治具４０の使用方法について説明する。
１２０サイズの場合には、まず、銀塩フィルム配置用治具４０の第１表面部４１、第２表面部４２が遮光紙５の裏面５Ｂに接し、かつ、第１裏面部４３、第２裏面部４４が遮光紙５の表面５Ａに接するように、遮光紙５を銀塩フィルム配置用治具４０で表裏から挟み込むようにする。そして、第２表面部４２に描かれた中心線５３が、遮光紙５の裏面５Ｂに描かれた中心線９（図２参照）と重なるように配置するとともに、１２０サイズ用の接着テープ貼付枠５５Ｂの巻き付け方向における中心が、遮光紙５の裏面に描かれた接着位置７（図２参照）にくるようにセットする。
【００５１】
次に、銀塩フィルム４を遮光紙５の表面５Ａにセットする。このとき、セットされた銀塩フィルム配置用治具４０の第２裏面部４４の接着テープ貼付枠５５Ｂに銀塩フィルム４の先端部４Ａ１を配置する。また、銀塩フィルム４の幅方向の中心位置を、第１裏面部４３に描かれた中心線５３およびフィルム幅表示線５４Ａ、５４Ｂ、５４Ｃ、５４Ｄを基にして中心線５３（中心線９）に合わせる。この状態で、第２表面部４２と第１裏面部４３とで遮光紙５および銀塩フィルム４を挟み込み、セットした位置がずれないように固定する。そして、第２裏面部４４を折り曲げ部４０Ａを中心にして開くと、銀塩フィルム４の先端部４Ａ１が銀塩フィルム配置用治具４０から表出するようになり、この先端部４Ａ１を接着テープ１０を用いて接着する。これにより、銀塩フィルム４の先端部４Ａ１の位置（巻き付け方向における先端位置、および幅方向における中心位置）が決定される。
【００５２】
この先端部４Ａ１が固定された状態から、ローフフィルム本体３を先端部４Ａ１（５Ａ１）側から巻き取る。そして、銀塩フィルム４の後端部（図示せず）に接着テープ１０を用いて遮光紙５の表面５Ｂに貼り付ける。これにより、フィルム幅Ｔの小さい銀塩フィルム４であっても、銀塩フィルム配置用治具４０を使用して、幅方向の中心位置を容易にセットすることができる。
【００５３】
一方、２２０サイズの場合には、１２０サイズの場合と比較して、遮光紙２５に対して表面部４１、４２と裏面部４３、４４を表裏で逆にしてセットする。より詳細には、まず、銀塩フィルム配置用治具４０の第１裏面部４３、第２裏面部４４が遮光紙２５の裏面２５Ｂに接し、かつ、第１表面部４１、第２表面部４２が遮光紙２５の表面２５Ａに接するように、遮光紙５を銀塩フィルム配置用治具４０で表裏から挟み込むようにする。そして、第１裏面部４３に描かれた中心線５３が、遮光紙２５の裏面２５Ｂに描かれた中心線９と重なるように配置するとともに、１２０サイズ用の接着テープ貼付枠５５Ａの巻き付け方向における中心が、遮光紙２５の裏面に描かれた接着位置７（図４参照）にくるようにセットする。
【００５４】
以降の手順は、上述した１２０サイズタイプと同じである。ただし、２２０サイズの場合、銀塩フィルム４のフィルム幅Ｔに従って、遮光紙２５の角部２７（図３参照）を斜めにカットしなければならない。これは、フィルム幅Ｔの小さい銀塩フィルム２４を中判カメラにセットする際に、この角部２７が巻き取り時に引っかかるおそれがあるためである。そのため、銀塩フィルム２４を遮光紙２５にセットする際に、銀塩フィルム配置用治具４０に描かれたカット線５６に沿って、銀塩フィルム２４のフィルム幅Ｔに合わせてその角部２７を斜めにカットする作業が必要になる。
【００５５】
また、この銀塩フィルム配置用治具４０を用いてセットする作業は、銀塩フィルム４、２４が露光しない場所（例えば、暗室など）で行われる。このとき、作業者は、例えば、簡易的な暗視スコープのような器具を用いて作業を行うようになる。そのため、銀塩フィルム配置用治具４０に描かれた中心線５３、フィルム幅表示線５４Ａ、５４Ｂ、５４Ｃ、５４Ｄ、接着テープ貼付枠５５Ａ、５５Ｂなどの表示は、暗視スコープで視認可能な文字（以下、特殊表示文字という）で描かれている。
【００５６】
この特殊表示文字とは、黒色の文字（或いは、線）の輪郭部分に、灰色の部分を設けた文字である。この特殊表示文字は、例えば、灰色の文字の上に、この灰色の部分が輪郭として残るように黒色の文字を上書きして描くことにより得られる。また、灰色の部分とは、黒塗り以外の文字であって、例えば、黒色の文字よりも黒の色合いが白側に近いベタ塗り文字が好ましく、その他であっても、斜線、ドットなどを用いて全体的に（黒色の文字に比して）灰色に見えるように描いた文字で描かれているものでもよい。
【００５７】
この特殊表示文字を使用することによって、暗室外で見る場合には、作業者は黒色の文字を普通に視認することができる一方、暗室内で暗視スコープを用いて見る場合には、黒色文字のみで描かれている場合と比較して、灰色の部分があることによって黒色の文字が視認し易くなる。これにより、作業者が文字や線を確認し易く、より効率的に作業を行えるようになる。
【００５８】
なお、この特殊文字は、上述した遮光紙５、２５の裏面５Ｂ、２５Ｂに記載される文字や線（中心線９など）にも使用することができる。これにより、暗室内での視認性を向上させ、種々の作業を効率的に行うようにすることもできる。
【００５９】
（４）開口部用治具６１および撮像範囲確認用治具６２
銀塩フィルム４、２４のフィルム幅Ｔを従来の１２０サイズおよび２２０サイズフィルムの銀塩フィルムよりも小さくすると、一眼レフの中判カメラのビューファインダー越しに見える範囲と、実際に撮影される撮像範囲とが異なってくる。例えば、フィルム幅Ｔを２／３にした場合、中判カメラのビューファインダー越しに見える範囲よりも、実際に撮影される範囲が幅方向で２／３になる。そのため、実際に撮影される範囲がビューファインダー越しに確認できるようにすることが必要になる。そのため、開口部用治具６１および撮像範囲確認用治具６２を用いて、中判カメラで撮像可能な範囲を事前に設定しておくようにする。
【００６０】
図６（Ａ）は中判カメラのフィルム面と対向する開口部分に取り付けられる開口部用治具６１、（Ｂ）は、撮像範囲を確認するための撮像範囲確認用治具６２である。
【００６１】
ここで、中判カメラの簡単な構造について説明すると、フィルム面と対向する開口部分（以下、開口部分という）とは、中判カメラにセットされた銀塩フィルム４、２４と対向する開口部分であり、一眼レフカメラの場合、撮像レンズと上述した開口部分とを結ぶ光軸が直線上に位置している。これにより、シャッターを押す（開放する）ことによって、この光軸がフィルム面に直線上に入射するようになる。この開口部分から見える範囲が、実際に撮影可能な範囲である。
【００６２】
一方、中判カメラには、撮影者が目視で撮影範囲を確認するためのビューファインダーが設けられている。このビューファインダーは、上述した光軸をミラーを介して反射させることで、開口部分からずれた位置に設置してある。より詳細には、シャッターを押す前は、ミラーで反射させた光軸からの風景をビューファインダーで確認することができ、シャッターを押したときにミラーが移動して、光軸からの風景が開口部分からフィルム面に入射し、フィルムに撮影することができるようになっている。そのため、開口部分から見える撮像範囲と、ビューファインダーから見える撮像範囲を一致させるために、上述した２つの治具が必要になる。
【００６３】
なお、二眼レフカメラの場合、開口部分での撮像範囲とビューファインダーから見える撮像範囲とはそれぞれ別個に構成されているため、同様に開口部分とビューファインダーとからの撮像範囲を一致させるために、上述の２つの治具が必要になる。
【００６４】
開口部用治具６１は、例えば乳白色な半透明なシートで構成されており、図６（Ａ）に示すように、中判カメラの中心７１と、画面サイズに合わせた複数の画面枠７２、７３、７４が描かれている。より詳細には、画面枠７２は６×４．５、画面枠７３は６×６、画面枠７４は７×７の画面サイズであり、中判カメラの画面サイズによって決まる開口部分の大きさ合わせて使用される。この開口部用治具６１は、上述した開口部分を覆うように貼り付けられる。これにより、撮像レンズから開口部分に入射する光軸は、この開口部用治具６１に入射し、乳白色の面に風景などの被写体が写るようになる。
【００６５】
一方、撮像範囲確認用治具６２は、例えば透明なシートで構成されており、図６（Ｂ）に示すように、中心線８１と、この中心線８１を挟んで対称に描かれた複数の幅確認用線８２、８３、８４、８５、８６が描かれている。これらの線は、上述した特殊標示文字を用いて描かれている。
【００６６】
そして、開口部分に開口部用治具６１を中心７１を合わせて貼り付ける。その後、シャッターを開放したままの状態にして、開口部用治具６１の乳白色の面に被写体を映し出させる。そして、開口部用治具６１の中心７１に合わせて撮像範囲確認用治具６２を宛がい、フィルム幅Ｔの範囲を重ね合わせる。この重ね合わせた範囲が、実際にフィルムに撮像が可能な範囲である。なお、この作業は、写真用ロールフィルム１、２１が装着されていない状態で行われる。また、暗室外で被写体を確認しながら行われる。
【００６７】
その後、シャッターを閉じて、ビューファインダー越しに被写体を見る。そして、開口部用治具６１と撮像範囲確認用治具６２とを用いて確認した範囲を、ビューファインダーにプロットする。このプロットとは、例えば、細長い線状のテープを用意しておき、このビューファインダーの表面に貼り付けるようにしてもよい。これにより、実際にフィルムに撮像可能な範囲を、ビューファインダー越しに確認することができる。
【００６８】
なお、上述した方法は一眼レフの場合であるが、二眼レフの場合には、シャッターを開放したりする作業が必要ない以外は、同様の手順でファインダー越しに見える撮像可能範囲をプロットすることができる。
【００６９】
（５）フィルム巻き取り装置
図７は、フィルム巻き取り装置９０の全体を示す斜視図である。
このフィルム巻き取り装置９０は、（３）で説明した銀塩フィルム配置用治具４０を用いて銀塩フィルム４、２４の先端部４Ａ１を位置決めして接着テープ１０で接着した後に、銀塩フィルム４、２４の中心位置と遮光紙の中心位置とが一致した状態でスプール２に巻き取るための治具である。
【００７０】
フィルム巻き取り装置９０は、図７に示すように、スプール２を回転可能に支持する左右のアーム９１、９１（支持部材）と、この２つのアーム９１、９１を連結するスライド座９２と、このスライド座９２上をスプール２の回転軸の延在方向に沿って（銀塩フィルムの幅方向に沿って）移動可能な２つの幅規制部９３、９３とで構成されている。
【００７１】
アーム９１、９１は、図７に示すように、略Ｌ字形状に形成されており、このアーム９１の一端部９１Ａがスプール２の取付溝２Ｃ（図１および図３参照）に取り付けられている。この状態で、スプール２は、アーム９１に対して自由に回転できるようになっている。
【００７２】
スライド座９２は、アーム９１、９１の他端側をそれぞれ連結する態様で取り付けられている。このスライド座９２は、取り付けられたスプール２の回転軸と平行に設けられている。また、スライド座９２の上面には、２つの幅規制部９３が表出し、幅規制部９３が幅方向に移動するのを案内する２つの案内窓９２Ａ、９２Ａが形成されている。
【００７３】
２つの幅規制部９３、９３は、その断面が略コ字形状に形成されており、２つの幅規制部９３、９３のコ字形状の開口側が互いに対向するように配置されている。このコ字形状の内側面９３Ａには、詳細は後述するが、フィルム幅Ｔが小さい銀塩フィルム４、２４の幅方向の両端縁部がそれぞれ接するようになる。
【００７４】
また、２つの幅規制部９３は、スライド座９２の内部で、ラック部材９４とそれぞれ一体に構成されている。この２つのラック部材９４は、スライド座９２の内部で、ピニオン部材（図示せず）と対向した位置（ピニオン部材に対して１８０度ずれた位置）でそれぞれ噛合している。より詳細には、この噛合は、２つの幅規制部９３がスプール２の中心線９５を挟んで対称（中心線９５から等距離）に配置された状態でなされている。これらの構造により、一方の幅規制部９３を移動させると、ラック＆ピニオンの噛み合いによって、他方の幅規制部９３が中心線９５を挟んで対称の位置に自動的に移動するようになる。この幅規制部９３の移動は、上述した案内窓９２Ａ、９２Ａによって案内されてスプール２の回転軸に沿う方向（幅方向）へ移動するようになる。
【００７５】
このフィルム巻き取り装置９０の使用方法としては、まず、銀塩フィルム配置用治具４０を用いて遮光紙５、２５に銀塩フィルムの先端部４Ａ１、２４Ａ１を接着テープ１０で接着する。そして、遮光紙の後端部５Ｂ１をスプール２のスリット２Ｂに差し込む。
【００７６】
次に、フィルム幅Ｔが小さく形成された銀塩フィルム４、２４の幅に合わせて、幅規制部９３を移動させる。このとき、一方の幅規制部９３の内側面９３Ａを銀塩フィルム４、２４の幅方向の縁部と当接させることで、ラック＆ピニオンの作用によってフィルム幅Ｔの中心位置を自動的にスプール２の中心線９５と一致させることができる。
【００７７】
この状態から、スプール２を回転させると、遮光紙５、２５は、スプール２のつば部２Ａによって規制されて直線的に巻き取られ、遮光紙５、２５の中心位置とスプール２の中心線９５が一致するようになる。同様に、銀塩フィルム４、２４も幅規制部９３によって幅方向の位置が規制されて直線的に巻き取られるようになる。これにより、フィルム幅Ｔが小さい銀塩フィルム４、２４であっても、その中心位置を遮光紙５、２５の中心位置と一致させながら容易に巻き取ることができるようになる。
【００７８】
このフィルム巻き取り装置９０を用いた巻き取り作業は、例えば、遮光紙５、２５に銀塩フィルム４、２４の先端部４Ａ１、２４Ａ１を接着テープ１０で接着し、遮光紙の先端部５Ａ１を下側にして写真用ロールフィルム１、２１を伸展させた状態で吊り下げて、下側からフィルム巻き取り装置９０を用いて巻き取るようにする。また、写真用ロールフィルム１、２１を机上に伸展させた状態で平面上に載置して、先端側から巻き取り装置９０を用いて巻き取るようにしてもよい。この巻き取り作業についても、銀塩フィルム配置用治具４０を用いた作業と同様に、視認性の悪い暗室内で行うようになるため、このようにフィルム巻き取り装置９０を用いて巻き取り作業を行うことで、より効率的に作業を行うことができる。
【００７９】
本発明の実施の形態に係る写真用ロールフィルム１、２１によれば、銀塩フィルム４、２４の幅寸法が、１２０サイズフィルムまたは２２０サイズフィルムで使用されるフィルム幅よりも小さく形成されており、特に、市販されている１２０サイズフィルムまたは２２０サイズフィルムの銀塩フィルムを巻き付け方向に沿って切断してフィルム幅を小さくしたものを使用しているので、中判カメラで撮影可能な画面サイズと異なるサイズの写真を撮影することができる。また、このような異なる画面サイズの写真を、中判カメラの特有の機能（例えば、アオリ機構など）を用いて撮影することができる。
また、撮影者であるカメラマンは、フィルム幅Ｔの小さい銀塩フィルム４、２４を使用することで、撮影時に被写体の縦横比を明確に意識して撮影することができるようになる。
【００８０】
また、銀塩フィルム４、２４は、市販されている３５ミリフィルムをそのまま使用したもの、或いは、３５ミリフィルムを巻き付け方向に沿って切断し、フィルム幅を小さくしたものを使用しているので、中判カメラで撮影可能な画面サイズと異なるサイズの写真を撮影することができる。また、３５ｍｍフィルムのパーフォレーションの部分に撮像して、写真の上下（または左右）などにパーフォレーションの部分が写った一風変わった写真を現像することもできる。
【００８１】
また、本発明の実施の形態に係るフィルム巻き取り装置９０によれば、スプール２を回転可能に支持するアーム９１と、スプール２の回転軸に沿って平行に移動可能であり、フィルム幅Ｔの小さな銀塩フィルム４、２４の幅方向の位置を規制する幅規制部９３とを備えているので、幅規制部９３の幅方向の位置を調整して、銀塩フィルム４、２４のフィルム幅Ｔの中心位置を遮光紙５、２５の幅方向における中心位置とを一致させることで、これらの中心位置を一致させた状態でスプール２を回転させて巻き取ることができる。これにより、視界の悪い暗室内でフィルム巻き取り作業を容易に行えるようになる。
【００８２】
さらに、本発明の実施の形態に係る銀塩フィルム配置用治具４０では、透明な板部材を２つ折りにして形成された表面部４１、４２および裏面部４３、４４を備え、表面部４１、４２および裏面部４３、４４には、表面部４１、４２および裏面部４３、４４を完全に重ね合わせた状態で、表面部４１、４２および裏面部４３、４４に描かれたそれぞれの中心線５３が一致するように形成しているので、まず、裏面部４３、４４の中心線を遮光紙５、２５の裏面５Ｂ、２５Ｂに描かれた中心線９と一致するように配置し、表面部４１、４２および裏面部４３、４４とで遮光紙５、２５を挟み込むようにして完全に重ね合わせることで、遮光紙５、２５の黒色の表面５Ａ、２５Ａに表面部４１、４２に描かれた中心線５３を表示することができる。これにより、この中心線５３に銀塩フィルム４、２４の幅方向における中心位置を合わせるようにすることで、遮光紙５、２５と銀塩フィルム４、２４の中心位置を合わせる作業を、視界の悪い暗室内で容易に行えるようになる。
【００８３】
以上、本発明の実施の形態に係る写真用ロールフィルムについて述べたが、本発明は既述の実施形態に限定されるものではなく、本発明の技術思想に基づいて各種の変形および変更が可能である。
【００８４】
例えば、本実施の形態における写真用ロールフィルム１、２１では、フィルム幅Ｔの小さい銀塩フィルム４、２４を、市販の１２０サイズフィルム或いは２２０サイズで使用されている銀塩フィルムのフィルム幅を、巻き付け方向に沿って平行に切断して小さくしたものとしているが、例えば、フィルムメーカーで幅の小さい銀塩フィルムを販売している場合には、その銀塩フィルムをそのまま用いるようにしてもよい。すなわち、フィルム幅Ｔの小さな銀塩フィルムの製造方法の如何は問わず、フィルム幅Ｔの小さな銀塩フィルムを使用するものは、本発明の技術的思想に含まれるものとする。
【００８５】
また、本実施の形態におけるフィルム巻き取り装置９０は、遮光紙５、２５と幅の狭い銀塩フィルム４、２４との中心線を合わせて巻き取る装置であるが、種々に変形が可能である。例えば、フィルム巻き取り装置９０に銀塩フィルムをカットするための切断刃を設け、スプール２で巻き取りながらこの切断刃で銀塩フィルムを巻き付け方向にカットするようにしてもよい。このようにすれば、銀塩フィルムのフィルム幅Ｔを小さくするようにカットするフィルム切断装置としても使用することができる。
【００８６】
また、本実施の形態におけるフィルム巻き取り装置９０では、ラック＆ピニオンを利用して幅規制部９３の中心位置が自動的に決定されるようにしているが、幅規制部９３の位置を手動で調整するものであっても構わない。例えば、幅規制部９３を幅方向へ手動で移動させて中心線９５に合わせるものであり、調整後に幅規制部９３をねじ部材で固定するようにしてもよい。
【符号の説明】
【００８７】
１  写真用ロールフィルム（１２０サイズ）
２  スプール
２Ａ  つば部
２Ｂ  スリット
３、２３  ロールフィルム本体
４、２４  銀塩フィルム
４Ａ、２４Ａ  銀塩フィルムの表面（撮像面）
４Ｂ、２４Ｂ  銀塩フィルムの裏面
４Ａ１、２４Ａ１  銀塩フィルムの先端部
５、２５  遮光紙
５Ａ、２５Ａ  遮光紙の表面
５Ａ１  遮光紙の先端部
５Ｂ、２５Ｂ  遮光紙の裏面
５Ｂ１  遮光紙の後端部
６  サイズ用文字
７  接着位置
８  ＳＴＡＲＴライン
９  中心線
１０  接着テープ
２１  写真用ロールフィルム（２２０サイズ）
２７  角部
２８Ａ、２８Ｂ、２８Ｃ、２８Ｄ  フィルム幅表示線
２９  カット線
４０  銀塩フィルム配置用治具
４０Ａ  折り曲げ部
４１  第１表面部
４２  第２表面部
４３  第１裏面部
４４  第２裏面部
５１、５２  切断部
５３  中心線
５４Ａ、５４Ｂ、５４Ｃ、５４Ｄ  フィルム幅表示線
５５Ａ、５５Ｂ  接着テープ貼付枠
５６  カット線
６１  開口部用治具
６２  撮像範囲確認用治具
７１  中心
７２、７３、７４  画面枠
８１  中心線
８２、８３、８４、８５、８６  幅確認用線
９０  フィルム巻き取り装置
９１  アーム（支持部材）
９１Ａ  アームの一端部
９２  スライド座
９２Ａ  案内窓
９３  幅規制部
９３Ａ  内側面
９４  ラック部材
９４Ａ  ラック部材の歯
９５  中心線
Ｔ  フィルム幅
【図１】
2014098854.tif 000003
【図２】
2014098854.tif 000004
【図３】
2014098854.tif 000005
【図４】
2014098854.tif 000006
【図５】
2014098854.tif 000007
【図６】
2014098854.tif 000008
【図７】
2014098854.tif 000009
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
巻き付け方向に長尺な銀塩フィルムと、前記銀塩フィルムの全長或いは少なくとも前部および後部に設けられた遮光紙と、前記遮光紙が設けられた前記銀塩フィルムが巻き付けられるスプールとを備え、１２０サイズフィルムまたは２２０サイズフィルム用のカメラに装填されて使用される写真用ロールフィルムであって、
前記スプールが、前記１２０サイズフィルムまたは２２０サイズフィルム用のカメラとの間で互換性を有し、前記銀塩フィルムの幅寸法が、１２０サイズフィルムまたは２２０サイズフィルムで使用されるフィルム幅よりも小さく形成されていることを特徴とする写真用ロールフィルム。
【請求項２】
前記銀塩フィルムは、市販されている１２０サイズフィルムまたは２２０サイズフィルムの銀塩フィルムを巻き付け方向に沿って切断してフィルム幅を小さくしたものであることを特徴とする請求項１に記載の写真用ロールフィルム。
【請求項３】
前記銀塩フィルムは、市販されている３５ミリフィルムをそのまま使用したもの、或いは、前記３５ミリフィルムを巻き付け方向に沿って切断し、フィルム幅を小さくしたものであることを特徴とする請求項１に記載の写真用ロールフィルム。
【請求項４】
遮光紙の幅方向における中心位置と、１２０サイズフィルムまたは２２０サイズフィルムの銀塩フィルムよりもフィルム幅の小さい銀塩フィルムの幅方向の中心位置を一致させた状態で、前記遮光紙と前記銀塩フィルムとをスプールに巻き取るフィルム巻き取り装置であって、
１２０サイズフィルムまたは２２０サイズフィルム用のカメラとの間で互換性を有する前記スプールを回転可能に支持する支持部材と、
前記スプールの回転軸に沿って平行に移動可能であり、フィルム幅の小さな銀塩フィルムの幅方向の位置を規制する幅規制部と、
を備えたことを特徴とするフィルム巻き取り装置。
【請求項５】
１２０サイズフィルムまたは２２０サイズフィルム用のカメラとの間で互換性を有するスプールに巻き取られる遮光紙の幅方向における中心位置に、１２０サイズフィルムまたは２２０サイズフィルムの銀塩フィルムよりもフィルム幅の小さい銀塩フィルムの中心位置を一致させる銀塩フィルム配置用治具であって、
透明な板部材を２つ折りにして形成された表面部および裏面部を備え、前記表面部および裏面部には、前記表面部と裏面部とを完全に重ね合わせた状態で、前記表面部および裏面部に描かれたそれぞれの中心線が一致するように形成されていることを特徴とする銀塩フィルム配置用治具。
【手続補正２】
【補正対象書類名】明細書
【補正対象項目名】０００９
【補正方法】変更
【補正の内容】
【０００９】
上述課題を解決するため、本発明は、巻き付け方向に長尺な銀塩フィルムと、前記銀塩フィルムの全長或いは少なくとも前部および後部に設けられた遮光紙と、前記遮光紙が設けられた前記銀塩フィルムが巻き付けられるスプールとを備え、１２０サイズフィルムまたは２２０サイズフィルム用のカメラに装填されて使用される写真用ロールフィルムであって、前記スプールが、前記１２０サイズフィルムまたは２２０サイズフィルム用のカメラとの間で互換性を有し、前記銀塩フィルムの幅寸法が、１２０サイズフィルムまたは２２０サイズフィルムで使用されるフィルム幅よりも小さく形成されている。
【手続補正３】
【補正対象書類名】明細書
【補正対象項目名】００１２
【補正方法】変更
【補正の内容】
【００１２】
また、本発明は、遮光紙の幅方向における中心位置と、１２０サイズフィルムまたは２２０サイズフィルムの銀塩フィルムよりもフィルム幅の小さい銀塩フィルムの幅方向の中心位置を一致させた状態で、前記遮光紙と前記銀塩フィルムとをスプールに巻き取るフィルム巻き取り装置であって、１２０サイズフィルムまたは２２０サイズフィルム用のカメラとの間で互換性を有する前記スプールを回転可能に支持する支持部材と、前記スプールの回転軸に沿って平行に移動可能であり、フィルム幅の小さな銀塩フィルムの幅方向の位置を規制する幅規制部と、を備えている。
【手続補正４】
【補正対象書類名】明細書
【補正対象項目名】００１３
【補正方法】変更
【補正の内容】
【００１３】
さらに、本発明は、１２０サイズフィルムまたは２２０サイズフィルム用のカメラとの間で互換性を有するスプールに巻き取られる遮光紙の幅方向における中心位置に、１２０サイズフィルムまたは２２０サイズフィルムの銀塩フィルムよりもフィルム幅の小さい銀塩フィルムの中心位置を一致させる銀塩フィルム配置用治具であって、透明な板部材を２つ折りにして形成された表面部および裏面部を備え、前記表面部および裏面部には、前記表面部と裏面部とを完全に重ね合わせた状態で、前記表面部および裏面部に描かれたそれぞれの中心線が一致するように形成されている。
【手続補正５】
【補正対象書類名】明細書
【補正対象項目名】００１４
【補正方法】変更
【補正の内容】
【００１４】
本発明に係る写真用ロールフィルムでは、前記スプールが、前記１２０サイズフィルムまたは２２０サイズフィルム用のカメラとの間で互換性を有し、前記銀塩フィルムの幅寸法が、１２０サイズフィルムまたは２２０サイズフィルムで使用されるフィルム幅よりも小さく形成されているので、中判カメラで撮影可能な画面サイズと異なるサイズの写真を撮影することができる。また、このような異なる画面サイズの写真を、中判カメラの特有の機能（例えば、アオリ機構など）を用いて撮影することができる。